(57)【要約】【課題】室内の雰囲気をなるべく誘引混合せずに局所を効率良く空調する。【解決手段】空調対象となる室内の局所に給気するにあたり，局所に向けて空調空気流を吹出すと共に，局所が存在する室の室内における前記空調空気流の外の空気を，この空調空気流と平行な室内空気流として，空調空気流と室内雰囲気との間に吹出す。局所に向かって吹出された空調空気流と室内雰囲気との間に，空調空気流と平行な室内空気流を流すことにより，一種のバリア層を形成し，空調空気流が室内雰囲気によって拡散されるのを妨げることができる。空調空気流は室内雰囲気をなるべく誘引混合せずに局所まで到達でき，局所を効率良く空調できるようになる。【選択図】  図１
2004257621.tif 000002
【特許請求の範囲】
【請求項１】
室内の局所に給気して空調する局所空調方法であって，
前記局所に向けて，冷却手段で冷却された空調空気流を吹出すと共に，
前記局所が存在する室の室内における前記空調空気流の外の空気を，前記空調空気流と平行な室内空気流として，空調空気流と室内雰囲気との間に吹出すことを特徴とする，局所空調方法。
【請求項２】
室内の局所に給気して空調する局所空調方法であって，
前記局所に向けて，除湿手段で除湿された空調空気流を吹出すと共に，
前記局所が存在する室の室内における前記空調空気流の外の空気を，前記空調空気流と平行な室内空気流として，空調空気流と室内雰囲気との間に吹出すことを特徴とする，局所空調方法。
【請求項３】
室内の局所に給気して空調する局所空調方法であって，
前記局所に向けて空調空気流を吹出すと共に，この空調空気流と同じ速度の空気流を，空調空気流と室内雰囲気との間に吹出すことを特徴とする，局所空調方法。
【請求項４】
前記局所を通過した空調空気流を，前記局所を挟んで空調空気流の吹出し位置と反対側の位置で吸引することを特徴とする，請求項１，２又は３に記載の局所空調方法。
【請求項５】
空調対象となる室内の局所に給気する局所空調装置であって，
前記局所に向って空調空気流を吹出す空調空気流吹出口を設け，
前記空調空気流と平行な室内空気流を吹出す室内空気流吹出口を，前記空調空気流吹出口の周りに沿って設け，
前記空調空気流吹出口に空調空気を供給する空調手段を設け，
前記室内空気流吹出口に，前記局所が存在する室の室内における前記空調空気流の外の空気を供給する送風手段を設けたことを特徴とする，局所空調装置。
【請求項６】
前記空調空気流吹出口から吹出される空調空気流と，前記室内空気流吹出口から吹出される室内空気流を同じ速度にさせる等速化機構を備えることを特徴とする，請求項５に記載の局所空調装置。
【請求項７】
前記局所を挟んで，空調空気流吹出口の反対側に吸気口を設け，この吸気口から吸い込んだ空気を，空調後，再び前記空調空気流吹出口に給気する空調機を設けたことを特徴とする，請求項５又は６に記載の局所空調装置。
【請求項８】
空調対象となる室内の局所に向って給気する吹出しユニットであって，
ケーシングの吹出口に，局所に向って空調空気流を吹出す空調空気流吹出口を設け，前記局所が存在する室の室内における前記空調空気流の外の空気を，前記空調空気流と平行な室内空気流として吹出す室内空気流吹出口を，前記空調空気流吹出口の周りに沿って設け，
前記ケーシング内に室内空気を給気するファンを設け，
前記空調空気流吹出口に空調空気を供給する空調空気流路を設けたことを特徴とする，吹出しユニット。
【請求項９】
前記吹出口において空調空気流吹出口を複数箇所に開口させ，それら空調空気流吹出口同士の間にも室内空気流を吹出すように構成したことを特徴とする，請求項８に記載の吹出しユニット。
【発明の詳細な説明】
【０００１】
【発明の属する技術分野】
本発明は，室内の一部分を局所的に空調する方法と装置に関し，更にこれら方法と装置に最適な吹出しユニットに関する。
【０００２】
【従来の技術】
従来より，省エネの観点から室内の全部ではなく一部分を局所的に空調するいわゆる局所空調（スポット空調）が行われている。この局所空調は，空調対象となる局所に，所望の温度，清浄度，湿度等に適宜調節した空調空気を給気することにより行われるのが一般である。このように，広い室内において居住者などの周りに局所的な空調空間を形成することにより，余分な空調負荷を排除することで省エネを達成することができる。例えば特公平３−７９６１８号公報の第１６図には，塗装ブース内に空気流を形成することにより空調する例が示されている。また，特開２０００−１８６６３号公報の図１には，クリーンルームにおいて壁やカーテンなどのパーテションで仕切ることによりゾーンを形成し，その内部を局所的に空調する例が示されている。
【０００３】
【特許文献１】特公平３−７９６１８号公報
【特許文献２】特開２０００−１８６６３号公報
【０００４】
【発明が解決しようとする課題】
例えば大空間の室内において一部分を局所的に冷房するような場合，パンカルーバーなどのノズルや格子付吹出口から局所に向けて低温の空気を吹出す方法が一般的である。しかしながら，局所に向けて吹出された低温空気流は，相対速度の差によって室内において周囲の雰囲気を誘引混合して局所に到達することになる。このため，空調対象である局所に到達した時点では，温度が高くなったりして冷房効果が低下するおそれがある。また，このような冷房効果の低下を防ぐために，吐出面積を大きくし，局所の周りにも余分に低温空気を給気することも考えられる。しかしそうすると，余分に冷房能力を大きくしなければならず，エネルギーが無駄に使われてしまう。
【０００５】
一方，パーテションで局所を仕切る方策も採られているが，室内が壁などのパーテションで仕切られているのは邪魔であり，作業の自由度が失われる。作業性の面からはそのようなパーテションはなるべく省略したい。
【０００６】
従って本発明の目的は，室内の雰囲気をなるべく誘引混合せずに局所を効率良く空調することを目的としている。
【０００７】
【課題を解決するための手段】
この目的を達成するために，本発明によれば，室内の局所に給気して空調する局所空調方法であって，前記局所に向けて，冷却手段で冷却された空調空気流もしくは除湿手段で除湿された空調空気流を吹出すと共に，前記局所が存在する室の室内における前記空調空気流の外の空気を，前記空調空気流と平行な室内空気流として，空調空気流と室内雰囲気との間に吹出すことを特徴とする，局所空調方法が提供される。また，本発明によれば，室内の局所に給気して空調する局所空調方法であって，前記局所に向けて空調空気流を吹出すと共に，この空調空気流と同じ速度の空気流を，空調空気流と室内雰囲気との間に吹出すことを特徴とする，局所空調方法が提供される。この場合，前記局所を通過した空調空気流を，前記局所を挟んで空調空気流の吹出し位置と反対側の位置で吸引するように構成しても良い。
【０００８】
また本発明によれば，空調対象となる室内の局所に給気する局所空調装置であって，前記局所に向って空調空気流を吹出す空調空気流吹出口を設け，前記空調空気流と平行な室内空気流を吹出す室内空気流吹出口を，前記空調空気流吹出口の周りに沿って設け，前記空調空気流吹出口に空調空気を供給する空調手段を設け，前記室内空気流吹出口に，前記局所が存在する室の室内における前記空調空気流の外の空気を供給する送風手段を設けたことを特徴とする，局所空調装置が提供される。この場合，前記空調空気流吹出口から吹出される空調空気流と，前記室内空気流吹出口から吹出される室内空気流を同じ速度にさせる等速化機構を備えていても良い。また，前記局所を挟んで，空調空気流吹出口の反対側に吸気口を設け，この吸気口から吸い込んだ空気を，空調後，再び前記空調空気流吹出口に給気する空調機を設け前記局所を挟んで，空調空気流吹出口の反対側に吸気口を設けても良い。
【０００９】
また本発明によれば，空調対象となる室内の局所に向って給気する吹出しユニットであって，ケーシングの吹出口に，局所に向って空調空気流を吹出す空調空気流吹出口を設け，前記局所が存在する室の室内における前記空調空気流の外の空気を，前記空調空気流と平行な室内空気流として吹出す室内空気流吹出口を，前記空調空気流吹出口の周りに沿って設け，前記ケーシング内に室内空気を給気するファンを設け，前記空調空気流吹出口に空調空気を供給する空調空気流路を設けたことを特徴とする，吹出しユニットが提供される。この場合，前記吹出口に整流格子を取り付けても良い。また，前記吹出口において空調空気流吹出口を複数箇所に開口させ，それら空調空気流吹出口同士の間にも室内空気流を吹出すように構成しても良い。
【００１０】
本発明は，局所を冷暖房する場合の他，クリーンブースのような局所に清浄な空気を給気する場合や，局所を所定の湿度に保つ場合等，種々の場合に適用される。本発明によれば，局所に向かって吹出された空調空気流と室内雰囲気との間に，空調空気流と平行な室内空気流を流すことにより，一種のバリア層を形成し，空調空気流が室内雰囲気によって拡散されるのを妨げることができる。空調空気流は室内雰囲気をなるべく誘引混合せずに局所まで到達でき，局所を効率良く空調できるようになる。
【００１１】
【発明の実施の形態】
以下，本発明の好ましい実施の形態を図面を参考にして説明する。なお，この形態では，空調の一例として高温雰囲気の室２内において局所４を冷房空調する場合を想定して説明する。
【００１２】
図１に示すように，この局所空調装置１は，空調対象となる室２の内部において，熱負荷としての人３が存在している執務空間，作業空間などの局所４に給気し，部分的な空調を行うものとして構成されている。室２の内部には，局所４に向って空調空気流を吹出す吹出しユニット１０と，局所４を挟んで吹出しユニット１０と反対側に位置する吸気ユニット１１が配置してある。吹出しユニット１０と吸気ユニット１１は対向して配置されている。吹出しユニット１０の前面（局所４に向っている面）には吹出口１２が開口しており，吸気ユニット１１の前面（局所４に向っている面）には吸気口１３が開口している。
【００１３】
室２の天井には，室内機１５が配置されている。室内機１５と吹出しユニット１０の間に給気ダクト１６が接続され，室内機１５と吸気ユニット１１の間に還気ダクト１７が接続されている。この実施の形態では，室内機１５によって冷却された空調空気が給気ダクト１６を経て吹出しユニット１０に供給され，吹出しユニット１０の吹出口１２から局所４に向って空調空気流が給気されるようになっている。また，こうして局所４を通過した空調空気流は，吸気口１３から吸気ユニット１１内に吸引され，還気ダクト１７を経て室内機１５に戻されるようになっている。
【００１４】
室２の外部上方には室外機２０が設けてある。この実施の形態では，室外機２０は，図示しないコンクリートスラブを隔てて室内機１５の直近上部に設置してある。これら室内機１５と室外機２０の間には，冷媒往管２１，冷媒還管２２及びドレン管２３が接続してある。また，ドレン管２３の途中には，ポンプ２４が設けてある。
【００１５】
図２に示すように，室内機１５は熱交換器３０とファン３１を備えている。また，室内機１５の底面にはドレンパン３２が取付けてある。ファン３１の稼動により，還気ダクト１７から室内機１５内に吸い込んだ空気を給気ダクト１６に送風するようになっている。また，こうして室内機１５内を通過する際に，熱交換器３０に熱的に接触することにより空気が冷却されて空調空気が作り出される。なお，冷却によって熱交換器３０の表面に凝縮したドレン水は，落下してドレンパン３２に受取られるようになっている。
【００１６】
室外機２０は，熱交換器３５とファン３６を備えている。室外機２０の上流側（図２において，室外機２０の左側）には蒸発ユニット３７が接続してあり，室外機２０の下流側（図２において，室外機２０の右側）には排気ユニット３８が接続してある。室内機１５においてドレンパン３２に受取られたドレン水は，ポンプ２４の稼動によってドレン管２３を通ってドレンパン３２から蒸発ユニット３７の上部に送水されるようになっている。こうして蒸発ユニット３７の上部に送水されたドレン水は，蒸発ユニット３７の上部において噴霧されるようになっている。排気ユニット３８の内部には，送風方向を横向から上向きに変えるためのベーン３９が取付けてある。
【００１７】
室外機２０においては，ファン３６の稼動により，蒸発ユニット３７を経て室外機２０内に外気を吸い込み，排気ユニット３８に送風するようになっている。こうして室外機２０内を通過させた外気を熱交換器３５に熱的に接触させることにより，熱交換器３５内の冷媒を冷却するようになっている。そして，熱交換器３５にて冷却された冷媒は，冷媒還管２２を通って，室内機１５の熱交換器３０に送られるようになっている。また，室内機１５の熱交換器３０にて空気を冷却することにより温度上昇した冷媒が，冷媒往管２１を通って，室外機２０の熱交換器３５に送られるようになっている。図示はしないが，冷媒往管２１には，室内機１５の熱交換器３０から室外機２０の熱交換器３５に冷媒を汲み上げるためのポンプ又は圧縮機が設けてある。また，室外機２０においてファン３６の稼動で排気ユニット３８に送風された外気は，排気ユニット３８を通過する際にベーン３９によって送風方向を横向から上向きに変え，その後，排気ユニット３８の上面から上向きに排気されるようになっている。
【００１８】
図３，４に示すように，吹出しユニット１０は，前面（図３において，左側面）が開口した吹出口１２に形成されたケーシング５１を備えている。ケーシング５１の前面から見ると，吹出口１２の中央に局所負荷用の空調空気流を吹出すための空調空気流吹出口５２が設けてあり，この空調空気流吹出口５２の周りに隣接して，室２の内部における空調空気流の外の空気を，空調空気流と平行な室内空気流として吹出す室内空気流吹出口５３が設けてある。この例では，吹出口１２の中央に配置された空調空気流吹出口５２の周り全体を室内空気流吹出口５３によって囲んでいる。
【００１９】
ケーシング５１の背面には，前述の空調空気流吹出口５２から吹出される空調空気流の外において室２の内部空気を吸い込んでケーシング５１内に給気するファン５５が取り付けてある。このファン５５の稼動により，室２内の空気がケーシング５１内に給気され，前述の室内空気流吹出口５３から，空調空気流と平行な室内空気流となって，局所４の周囲に向って吹出されるようになっている。こうして室内空気流吹出口５３から吹出される室内空気流はケーシング５１の周囲の空気であり，前述の空調空気流吹出口５２から吹出される空調空気流とは温度が異なる。室２内には図示しないが新鮮外気が取り入れられている。この外気は，場合により全熱交換器や熱交換器を介して若干冷却（加熱）されることもある。しかし，いずれにせよ，ケーシング５１に取入れられる室内空気流の用の空気はそのために温調されるものではない。
【００２０】
空調空気流吹出口５２には，給気ダクト１６を経て給気された空調空気を供給する空調空気流路５６が接続してある。空調空気流路５６の内部には，送風方向を上向きから横向に変えるためのベーン５７が設けてある。そして，先に説明した室内機１５から給気ダクト１６を経て送風された空調空気が，空調空気流路５６に下向きに給気され，ベーン５７によって送風方向を上向きから横向に変えた後，空調空気流となって空調空気流吹出口５２から吹出すようになっている。なお，ケーシング５１と給気ダクト１６の下部は一体とされていても良いし，別体とされて組み立てられていてもよい。。
【００２１】
吹出しユニット１０の前面（吹出口１２）には，平板を縦横に格子状に組合わせた構成の整流格子６０が取り付けられている。前述のように室内空気流吹出口５３から吹出される室内空気流と空調空気流吹出口５２から吹出される空調空気流は，各々この整流格子６０を通過する際に，局所４に向かう互いに平行な流れに整流されるようになっている。吹出しユニット１０の前面から整流格子６０を取外すと，中央部に空調空気流吹出口５２が配置され，その周囲を取り巻いて室内空気流吹出口５３が配置された形となっている。但し，室内空気流吹出口５３は，必ずしも空調空気流吹出口５２の全周囲を取り巻いて配置されていなくても良い。例えば局所４が室２の床面に近い位置にあるような場合は，床面と接する面においては空調空気流の拡散が生じないので，床面と空調空気流の間には室内空気流を吹出す必要が無く，空調空気流吹出口５２の下部には室内空気流吹出口５３が形成されていなくても良い。また例えば，局所４が室２の壁面に近い位置にあるような場合は，壁面と接する面においては空調空気流の拡散が生じないので，同様に空調空気流吹出口５２の側方には室内空気流吹出口５３が形成されていなくても良い。空調空気流吹出口５２の上方についても同様である。
【００２２】
吹出しユニット１０の前面において，互いに平行流として吹出される室内空気流と空調空気流は，等速になっている。ここで，室内空気流と空調空気流を等速にするために，次のような等速化機構が有効である。
【００２３】
先ず，図５に示す例では，室内機１５と吹出しユニット１０（空調空気流路５６）を接続している給気ダクト１６に風量調整ダンパ６５を設けている。また，吹出しユニット１０において，ケーシング５１とファン５５の間に風量調整ダンパ６６を設けている。そして，これら風量調整ダンパ６５と風量調整ダンパ６６の開度を調整することによって，室内空気流吹出口５３から吹出される室内空気流の風速Ｖ１と空調空気流吹出口５２から吹出される空調空気流の風速Ｖ２がほぼ等しくなるように設定している。
【００２４】
この図５に示した例は，室内機１５に設けられているファン３６の送風量と吹出しユニット１０に設けられているファン５５の送風量がいずれも一定の場合に有効である。なお，吹出口１２から吹出される際の室内空気流の風速Ｖ１と空調空気流の風速Ｖ２を等しくさせるには，適当な風速計等を用いて風速Ｖ１と風速Ｖ２の初速度（吹出口１２から吹出される際の風速Ｖ１と風速Ｖ２）を計測し，風量調整ダンパ６５，６６の開度を例えば試運転時にそれぞれ調整すれば良い。
【００２５】
一方，室内機１５に設けられているファン３６の送風量と吹出しユニット１０に設けられているファン５５の送風量がいずれも可変の場合は，図６に示す例が有効である。即ち，室内機１５のファン３６の送風量と吹出しユニット１０のファン５５の送風量をコントローラ７０によって制御し，吹出口１２から吹出される際の室内空気流の風速Ｖ１と空調空気流の風速Ｖ２を等しくさせる方法である。各送風量は，例えばファン３６，５５の駆動モータの回転数をインバータ制御することによって調整する。
【００２６】
この場合，ファン３６，５５の駆動モータの回転数Ｎ３６，Ｎ５５が温度条件等で変動するときは，風速Ｖ１と風速Ｖ２を等しくさせるために，次式（１）となるように制御すれば良い。
Ｎ３６×Ｖｍａｘ／Ｎ３６ｍａｘ＝Ｎ５５×Ｖｍａｘ／Ｎ５５ｍａｘ  （１）
【００２７】
つまり，次式（２）となるように制御すればよい。
Ｎ５５＝Ｎ３６×Ｎ５５ｍａｘ／Ｎ３６ｍａｘ  （２）
【００２８】
なお，Ｖｍａｘ，Ｎ３６ｍａｘ，Ｎ５５ｍａｘは，試験を行って測定し，コントローラ７０に入力する。
【００２９】
また例えば，室内機１５のファン３６の送風量が温度サーモによって変動するような場合は，その変動に追随して室内空気流の風速Ｖ１を空調空気流の風速Ｖ２に等しくさせることが必要となる。そのような場合は，例えば微差圧発振器等によって空調空気流路５６内の圧力とケーシング５１内の圧力の差を検知し，それらの圧力差がなくなるようにファン５５の駆動モータの回転数をインバータ制御すればよい。その他，風速検知センサによって吹出口１２から吹出される際の風速Ｖ１と風速Ｖ２を計測し，風速差がなくなるようにファン５５を制御してもよい。更に，例えば吹出口１２から吹出される室内空気流と空調空気流をＵ字管路の両端からそれぞれ導入し，そのＵ字管路内において流れが生じないようにファン５５を制御する方法も考えられる。
【００３０】
また，室内機１５のファン３６の送風量の代りに，給気ダクト１６に設けられたＶＡＶによって送風量が変動させられるような場合は，ＶＡＶによる風量変動に基いて風速差がなくなるようにファン５５を制御してもよい。なお，風速差をなくすために，給気ダクト１６に逃し管を設け，余剰空気を逃すことも有益である。
【００３１】
なお，いずれの場合も，室内空気流吹出口５３から吹出される室内空気流の風速Ｖ１は室内空気流吹出口５３の全体において均一になっていることが望ましく，同様に，空調空気流吹出口５２から吹出される空調空気流の風速Ｖ２も空調空気流吹出口５２の全体において均一になっていることが望ましい。そのためには，速度を均一化させるメッシュやパンチングメタル等を，前述の整流格子６０に加えて，あるいは代替して室内空気流吹出口５３や空調空気流吹出口５２の内方に配置することが有効である。
【００３２】
さて，以上のように構成された局所空調装置１にあっては，室内機１５において熱交換器３で冷却された空調空気が，ファン３１の稼動によって給気ダクト１６を経て吹出しユニット１０に送風される。こうして吹出しユニット１０に送風された空調空気は，吹出しユニット１０のケーシング５１内部に形成された空調空気流路５６を通過し，空調空気流吹出口５２から局所４に向かう空調空気流となって吹出す。また，このように吹出しユニット１０前面に吹出口１２の中央に配置された空調空気流吹出口５２から空調空気流が吹出すと同時に，ファン５５の稼動によって，室２内の空気（但し，空調空気流の外にあり，空調空気流を乱さない箇所において吸引される室内空気）がケーシング５１内に吸引され，室内空気流となって室内空気流吹出口５３から吹出される。
【００３３】
こうして空調空気流吹出口５２から吹出される空調空気流と室内空気流吹出口５３から吹出される室内空気流は，整流格子６０で整流されることにより互いに平行な流れとして吹出される。しかも，先に図５，６などで説明した制御が行われることにより，室内空気流と空調空気流は吹出しユニット１０から等しい速さで吹出される。これによって，吹出しユニット１０前面の吹出口１２から吹出される際には，図７に示すように，空調空気流吹出口５２から局所４に向って送風される空調空気流Ａの周りを，室内空気流吹出口５３から吹出された空調空気流Ａと同じ速度を有する室内空気流Ｂで包み込んだ状態が形成されることになる。
【００３４】
ここで，図８に示すように，従来一般に行われてる方法により吹出口８０から局所４に向って空調空気流Ａを給気した場合，室内の雰囲気は静止しているので，空調空気流Ａの周囲において相対速度の差によって室内雰囲気を誘引混合して局所４に到達することになる。このため，空調対象である局所４に到達した時点では，空調空気流Ａの温度が高くなったりして冷房効果が低下してしまう。また，このような冷房効果の低下を防ぐためには，余分に冷房能力を大きくしなければならず，エネルギーが無駄に使われてしまう。このような空調空気流Ａの拡散は，室内雰囲気と接する面積が大きくなるほど多く生じ，吹出口８０の開口面積が大口径である程拡散する比率は小さい。即ち，小口径ノズルの給気ほど混合・拡散しやすく，大口径の吹出口ほど，混合・拡散しにくいと言える。
【００３５】
図７に示したように，この実施の形態の場合も，室内空気流Ｂの周囲においては，室２内の雰囲気との混合・拡散は避けられない。しかしながら，この実施の形態の場合，空調空気流Ａと室内空気流Ｂの間では相対速度の差が無いので，混合・拡散は極めて少なくなる。このように，空調空気流Ａと室２内の雰囲気との間を流れる室内空気流Ｂは，空調空気流Ａの周りを囲んだ一種のバリア層の役割をはたし，空調空気流Ａが室２内の雰囲気によって拡散されるのを妨げる。こうして，空調空気流Ａは室２内の雰囲気をなるべく誘引混合せずに局所４まで到達でき，局所４を効率良く空調できるようになる。また，空調空気流Ａの到達距離も長くすることが可能である。しかも，空調空気流Ａを混合・拡散なく局所４に供給できるので，温度維持もしやすい。また，空調空気流Ａを局所４まで混合・拡散させずに給気できるので，給気温度を室内設定温度へ近づけることが可能となる。例えば，室内設定２５℃の場合，従来は１５℃で給気していたものを２２℃程度まで高くすることができ，熱交換器３０，３５の冷却負荷を低減でき，熱交換性能の向上，効率向上も期待できる。
【００３６】
一方，このように局所４に到達した空調空気流Ａは，局所４を通過した後，ファン３１の稼動によって吸気口１３から吸気ユニット１１内に吸引される。そして，還気ダクト１７を経て室内機１５に戻され，熱交換器３で冷却されて空調空気流Ａは再び局所４に循環供給される。先と同様の理由により，空調空気流Ａが室２内の雰囲気となるべく混合しない状態で吸気ユニット１１内に吸引されるので，過度の温度上昇をしない状態で室内機１５に戻されることとなり，熱交換器３０，３５の冷却負荷を更に低減できるようになる。これにより，冷凍機成績係数を大幅に上昇させることができ，省エネ化がはかれる。例えば，室内機１５と室外機２０を空冷式セパレート式パッケージ型空調機で構成した場合について，冷媒Ｒ−２２を用いるとすれば，高圧側は２８ｋｇ．ｗ／ｃｍ２．Ｇを２５ｋｇ．ｗ／ｃｍ２．Ｇ程度に低下させ，低圧側は１２ｋｇ．ｗ／ｃｍ２．Ｇを１８ｋｇ．ｗ／ｃｍ２．Ｇ程度に上昇させて（連続）運転するように冷媒圧力を設定すれば良くなる。なお，吸気ユニット１１は吹出しユニット１０と同じ大きさで，外観もほぼ同じである。但し，吸気口１３は，空調空気流吹出口５２と室内空気流吹出口５３をあわせた開口面積を有し，メッシュやフィルタなどの均一吸い込み手段を備えていても良い。なお，この実施の形態では，吸気ユニット１１はファンを内蔵せず，局所４を通過した空気は，室内機１５のファン３１によって吸引される。
【００３７】
また，室内機１５において熱交換器３０の表面に凝縮したドレン水が，ドレンパン３２に溜まると，ポンプ２４の稼動によってドレン水はドレン管２３を通って蒸発ユニット３７の上部に送水される。こうして蒸発ユニット３７の上部に送水されたドレン水は，蒸発ユニット３７の上部において噴霧され，室外機２０に吸込まれる外気によって蒸発させられる。これにより，室外機２０に吸込まれる外気の乾球温度を低下させることができる。このように，室内機１５で生じたドレン水を室外機２０の吸込み側（上流側）で蒸発させることにより，室外機１５の吸込温度を低下させ，成績係数向上による省エネ性向上が期待できるが，室外機１５の出口側（排気）でドレン水を蒸発させた場合は，高温低湿度の排気によって，ドレン水を確実に蒸発でき，ドレン水処理の信頼性が向上するといったメリットがある。いずれにしても，室内機１５で生じたドレン水を室外機２０にて蒸発処理することにより，ドレン水を外部排出することを省略でき，ドレン配管なども不要となる。なお，ドレン水を蒸発させる方法としては，この実施の形態で示したような蒸発ユニット３７での噴霧処理の他，滴下式加湿器を用いる方法や，超音波発生器による水の微粒子化による方法も可能である。但し，ドレン水自身はミネラル成分がなくスケール生成がない反面，空気中のホコリを多く含むため，フィルタでろ過することが望ましい。
【００３８】
この実施の形態では，室外機２０が室内機１５の直近上部に設置されているので，両者の間に設けられる冷媒往管２１，冷媒還管２２及びドレン管２３などを短くでき，工事費を低減できる。また，局所空調装置１の移動や設置も容易となる。
【００３９】
次に，本発明の他の実施の形態にかかる局所空調装置１００を説明する。図９に示す局所空調装置１００は，室１０１の内部に点在する複数の局所１０２に対してそれぞれ局所空調を施すものとして構成されている。
【００４０】
この実施の形態では室内機１０５は室１０１の床上に設置されている。室内機１０５で冷却された空調空気（冷風）を搬送する主ダクト１０６が，室１０１の天井に設けてある。主ダクト１０６には枝ダクト１０７が複数箇所に分岐して接続されており，これら複数の枝ダクト１０７の先端に，各局所１０２に対して空調空気流を吹出すための吹出しユニット１０８がそれぞれ取り付けてある。
【００４１】
図１０，１１に示すように，この実施の形態の吹出しユニット１０８も，前面（図１１において，左側面）が開口した吹出口１１０に形成されたケーシング１１１を備えている。ケーシング１１１の前面から見ると，吹出口１１０の中央には，適当な間隔で平行に配置された複数のスリット状の開口部１１２で構成される空調空気流吹出口１１３が配置されている。
【００４２】
ケーシング１１１の内部には，空調空気流路１１５が設けてあり，前述の枝ダクト１０７の先端が，開閉ダンパ１１６を介してこの空調空気流路１１５に接続されている。空調空気流路１１５の前面には，先に説明した多段のスリット状の開口部１１２を備えた空調空気流吹出口１１３が形成されている。そして，開閉ダンパ１１６が開かれた際には，先に説明した室内機１０５から主ダクト１０６及び枝ダクト１０７を経て送風された空調空気が，吹出口１１０の中央に配置された空調空気流吹出口１１３の各開口部１１２から層状の空調空気流となって，局所１０２に向ってそれぞれ吹出されるようになっている。
【００４３】
また，ケーシング１１１前面の吹出口１１０において，空調空気流吹出口１１３の周りと多段に配置されたスリット状の開口部１１２同士の間には，室内空気流吹出口１２０が開口している。ケーシング１１１の側面には，室１０１内の空気をケーシング１１１内に給気するファン１２１が取り付けてある。このファン１２１の稼動により，室２内の空気がケーシング１１１内に給気され，室内空気流となって室内空気流吹出口１２０から吹出されるようになっている。
【００４４】
この実施の形態においても，吹出しユニット１０８の前面（吹出口１１０）には，平板を縦横に格子状に組合わせた構成の整流格子１２５が取り付けられている。なお説明のため，図１０では，整流格子１２５を吹出しユニット１０８から前方に取外した状態を示している。空調空気流吹出口１１３から吹出される空調空気流と室内空気流吹出口１２０から吹出される室内空気流は，この整流格子１２５を通過する際に，互いに平行な流れに整流されるようになっている。
【００４５】
図９に示すように，各局所１０２の下方には，局所１０２に人１２６がいることを検出するセンサ１２７がそれぞれ設けてある。各センサ１２７は，そのセンサ１２７が設置されている局所１０２に対応する吹出しユニット１０８（そのセンサ１２７が設置されている局所１０２に給気する吹出しユニット１０８）に設けられた開閉ダンパ１１６とファン１２１の稼動を制御している。人１２６が存在している局所１０２（図９でいえば，一番左側の局所１０２と右から二番目の局所１０２）については，センサ１２７が人１２６の存在を検出することにより，開閉ダンパ１１６を開くと共にファン１２１を稼動させる信号を発する。これにより，人１２６が存在している局所１０２に対しては，対応する吹出しユニット１０８から，空調空気流と室内空気流が一緒に供給されるようになる。一方，人１２６が存在していない局所１０２（図９でいえば，一番右側の局所１０２と左から二番目の局所１０２）については，センサ１２７は人１２６が存在していないことを検出し，開閉ダンパ１１６を閉じると共にファン１２１の稼動を停止する信号を発する。これにより，人１２６が存在していない局所１０２に対しては，対応する吹出しユニット１０８から，空調空気流と室内空気流が供給されないことになる。
【００４６】
なお，この実施の形態においても，先に図５，６などで説明した場合と同様の制御が行われることにより，各吹出しユニット１０８の前面において，互いに平行流として吹出される室内空気流と空調空気流は等速にされている。
【００４７】
その他，図９に示した室内機１０５も，先と同様に，熱交換器やファンなどを内蔵しており，図示しない室外機との間で冷媒が循環されている。また，この実施の形態では，室内機１０５の近傍において，主ダクト１０６にパロメトリックダンパ（差圧調整ダンパ）１３０が接続してある。
【００４８】
さて，この実施の形態の局所空調装置１００にあっては，室内機１０５で冷却された空調空気が主ダクト１０６内に給気される。そして，人１２６が存在している局所１０２については，センサ１２７の検出により，開閉ダンパ１１６が開かれると共にファン１２１が稼動を開始し，対応する吹出しユニット１０８から空調空気と室内空気が一緒に給気される。
【００４９】
ここで，この実施の形態の局所空調装置１００にあっては，図１１に示すように，空調空気流吹出口１１３において多段のスリット状の開口部１１２から層状に吹出された空調空気は，各開口部１１２の間において室内空気流吹出口１２０から吹出された室内空気と混合され，局所１０２に向って送風される空調空気流Ｃを形成する。また，こうして形成された空調空気流Ｃの周りには，空調空気流吹出口１１３の周りにおいて室内空気流吹出口１２０から吹出された室内空気流Ｄが形成される。
【００５０】
そして，これら空調空気流Ｃと室内空気流Ｄは，吹出しユニット１０８前面に取付けられた整流格子１２５で整流されることにより，互いに平行な等速の流れとなり，局所１０２に向って送風される空調空気流Ｃの周りを，空調空気流Ｃと同じ速度を有する室内空気流Ｄで包み込んだ状態が形成されることになる。これにより，空調空気流Ｃは室１０１内の雰囲気をなるべく誘引混合せずに局所１０２まで到達でき，効率良く空調できるようになる。
【００５１】
一方，人１２６が存在していない局所１０２については，センサ１２７は人１２６が存在していないことを検出し，対応する吹出しユニット１０８について，開閉ダンパ１１６を閉じると共にファン１２１の稼動を停止する信号を発する。これにより，人１２６が存在していない局所１０２に対しては，空調空気流と室内空気流が供給されない。
【００５２】
このような吹出しユニット１０８における給気の開始と停止に伴って主ダクト１０６内の圧が変動するが，そのような圧の変動は，室内機１０５の近傍において主ダクト１０６に接続されているパロメトリックダンパ１３０で吸収することができる。即ち，人１２６の存在している局所１０２が少なく，空調負荷が少ないときは，主ダクト１０６内の圧力上昇によってバロメトリックダンパ１３０が開き，空調空気が排出される。この場合，パロメトリックダンパ１３０は室内機１０５の近傍にあるため，バロメトリックダンパ１３０から排出された空調空気は，すぐに室内機１０５に戻されることとなる。このため，ほとんど温度上昇しない状態で空調空気を室内機１０５に戻すことができ，室内機１０５の冷却負荷を低減できる。
【００５３】
この実施の形態の局所空調装置１００によれば，先に図１等で説明した実施の形態の局所空調装置１と同様の効果を奏することに加え，室１０１内に点在する複数の局所１０２を必要に応じて空調できるといった利点がある。なお，この実施の形態の局所空調装置１００のように，空調空気と室内空気を混合して空調空気流Ｃを形成する場合は，室内空気の混合による温度上昇を考慮し，局所１０２への給気温度よりも低温の空調空気を室内機１０５において作ると良い。この実施の形態のように室１０１内に複数の局所１０２が点在する場合は，大型の室内機１０５から各吹出しユニット１０８に空調空気（冷風）を送風し，空調空気流吹出口１１３において室内空気と混合して空調空気流Ｃを形成する方法が好ましい。このように空調空気と室内空気を混合すると，熱ロスは発生するが，ダクト内風量を低減できるため，イニシャルコストの低減が可能である。なお，各局所１０２において人１２６を検出するセンサ１２７は，踏台スイッチや人感センサー等，種々のものが利用できる。
【００５４】
以上，本発明の好適な実施の形態を例示して説明したが，本発明はここに示した形態に限定されない。本発明において局所に向けて吹出される空調空気流と，この空調空気流と室内雰囲気との間に吹出される室内空気流は，互いに同じ速度（即ち，互いに平行で速さが同じ）であることが最も望ましいが，空調空気流と室内空気流は，厳密な平行流で無くても良く，また，速さもほぼ等しければ足りる。要するに，局所に給気される空調空気の拡散を許容できる範囲において防げられれば良い。また，パッケージ型空調機で空調空気を作る場合の他，他の形式の空調機によって空調空気を作る場合にも本発明を適用できる。
【００５５】
また，図１等で説明した実施の形態と図９等で説明した実施の形態のいずれにおいても，空調空気流の周り全部を室内空気流で包み込む例を説明したが，室内空気流は，空調空気流と室内雰囲気との間に吹出せば良く，必ずしも空調空気流の周り全部を包み込む必要は無い。例えば図１２に示すように，壁１３０と壁１３１に挟まれたコーナー部分に局所１３２が存在している場合であれば，吹出しユニット１３５から局所１３２に向って壁１３０と壁１３１に沿いながら空調空気流Ｅを供給すれば，壁１３０と壁１３１に接する面側においては空調空気流Ｅは拡散しない。従って，この図１２に示す場合は，壁１３０と壁１３１に接していない面側にのみ室内空気流Ｆを形成すれば良い。いずれにしても，空調空気流と室内雰囲気との間を仕切る位置に，室内空気流を形成させれば良い。
【００５６】
実施の形態で説明したような冷房運転を行う場合，室の内部に発熱体があると，その発熱体の近辺では上昇気流が発生し，その室内では，発熱体に向かう横向の気流が自然に発生する。そのような場合は，発熱体に向かう気流と同じ方向に空調空気流と室内空気流を給気するようなレイアウトとすることが望ましい。
【００５７】
また，図９等で説明した実施の形態の局所空調装置１００においても，図１等で説明した実施の形態の局所空調装置１と同様に，局所１０２を挟んで，空調空気流吹出口１１３の反対側に吸気口を設けても良い。また，図１等で説明した実施の形態の局所空調装置１と同様のドレン水処理を行うことも可能である。なお，空調空気流の吸引は，必ずしも局所を挟んで空調空気流の吹出し位置と反対側の位置でする必要は無い。図９等で説明した局所空調装置１００のように，空調空気流と関係の無い位置で取りこんだ空気を冷却等し，空調空気流を局所に給気するようにしても良い。
【００５８】
また，図１等で説明した実施の形態と図９等で説明した実施の形態のいずれにおいても，室２や室１０１全体を空調する別の（あるいは共通の）図示しない空調手段を備えていても良い。通常，本発明の如き局所空調は，別の（あるいは共通の）図示しない空調手段によって空調されている室２や室１０１の内部において，限られた執務空間や作業空間などの局所４，１０２に給気するものとして構成される。そして，そのような室２や室１０１の内部空気が，空調空気流の流れを乱さない位置において吸引され，空調空気流と平行な室内空気流となって，局所の周囲に向って吹出される。
【００５９】
空調空気流の周り全部を室内空気流で包み込む例を説明したが，室内空気流は，空調空気流と室内雰囲気との間に吹出せば良く，必ずしも空調空気流の周り全部を包み込む必要は無い。例えば図１２に示すように，壁１３０と壁１３１に挟まれたコーナー部分に局所１３２が存在している場合であれば，吹出しユニット１３５から局所１３２に向って壁１３０と壁１３１に沿いながら空調空気流Ｅを供給すれば，壁１３０と壁１３１に接する面側においては空調空気流Ｅは拡散しない。従って，この図１２に示す場合は，壁１３０と壁１３１に接していない面側にのみ室内空気流Ｆを形成すれば良い。いずれにしても，空調空気流と室内雰囲気との間を仕切る位置に，室内空気流を形成させれば良い。
【００６０】
更に，図１等で説明した実施の形態と図９等で説明した実施の形態のいずれにおいても空調の一例として局所を冷房空調する場合を想定して説明したが，本発明は，局所を冷暖房する場合の他，クリーンブースのような局所に清浄な空気を給気する場合や，局所を所定の湿度に保つ場合等，局所を種々の条件に空調する場合に適用できる。そのような場合についても，離れた場所・エリア（局所）に対して，清浄な空気や所定の湿度にした空気を拡散なく到達させることにより，空調効率を向上させ，省エネ化を達成することができる。なお，クリーンブースのような局所に清浄な空気を給気する場合であれば，前述の実施の形態における室内機に設けた熱交換器の代りに塵埃除去フィルタを用いれば良く，局所を所定の湿度に保つ場合であれば，同様に，熱交換器の代りに加湿器あるいは除湿器を用いれば良い。その場合，例えば除湿機には乾式除湿機，湿式除湿機，圧力スイング除湿機など種々のものが利用できる。
【００６１】
なお，本発明を実施するためには，室内空気流の吹出しのためのファン動力が余計に必要となる。従って，空調空気流吹出口から局所までの距離が短く拡散ロスが小さい場合は，従来方法のように空調空気流だけを局所に供給する方が設備コストも安くでき，室内空気流を吹出すためのファン動力も省略できることになる。本発明は，空調空気流吹出口から局所までの距離があるため拡散ロスが無視できないような場合や，非常に高温な環境下で局所を冷房する場合など空調条件が厳しいような場合に特に有効である。
【００６２】
【発明の効果】
本発明によれば，室内の雰囲気をなるべく誘引混合せずに局所を効率良く空調できるようになる。
【図面の簡単な説明】
【図１】本発明の実施の形態にかかる局所空調装置を室に設置した状態を示す斜視図である。
【図２】室内機と室外機の説明図である。
【図３】吹出しユニットの縦断面図である。
【図４】吹出しユニットの正面図である。
【図５】室内空気流と空調空気流を等速にするための機構の説明図である。
【図６】室内空気流と空調空気流を等速にするための他の機構の説明図である。
【図７】周りを室内空気流で包み込みながら空調空気流を局所に供給する状態の説明図である。
【図８】従来技術において，空調空気流が拡散してしまう状態の説明図である。
【図９】本発明の他の実施の形態にかかる局所空調装置の説明図である。
【図１０】本発明の他の実施の形態にかかる吹出しユニットの斜視図である。
【図１１】図１０と同じ吹出しユニットの縦断面図である。
【図１２】空調空気流の周りの一部に室内空気流を形成する本発明の他の実施の形態の説明図である。
【符号の説明】
Ａ，Ｃ  空調空気流
Ｂ，Ｄ  室内空気流
１，１００  局所空調装置
２，１０１  室
３，１２６  人
４，１０２  局所
１０，１０８  吹出しユニット
１１  吸気ユニット
１５，１０５  室内機
１６  給気ダクト
１７  還気ダクト
２０  室外機
５２，１１３  空調空気流吹出口
５３，１２０  室内空気流吹出口
５５，１０７，１２１  ファン
５６，１１５  空調空気流路
６０，１２５  整流格子
１０６  主ダクト
１０７  枝ダクト
１１６  開閉ダンパ
１２７  センサ
１３０  パロメトリックダンパ
【図１】
2004257621.tif 000003
【図２】
2004257621.tif 000004
【図３】
2004257621.tif 000005
【図４】
2004257621.tif 000006
【図５】
2004257621.tif 000007
【図６】
2004257621.tif 000008
【図７】
2004257621.tif 000009
【図８】
2004257621.tif 000010
【図９】
2004257621.tif 000011
【図１０】
2004257621.tif 000012
【図１１】
2004257621.tif 000013
【図１２】
2004257621.tif 000014